(57)【要約】【課題】  端子群の形状が異形になり、作りにくい点を解決することで、複数の端子列の端子数の自由に設定すること可能にするとともに、２段以上の端子列を一体的に形成できない点を解決することで、端子列の段数を任意に増やすことを可能にする。【解決手段】  絶縁体でコネクタハウジング１１１を形成し、このコネクタハウジング１１１に取付ける端子７１〜９１を複数個連結した端子列１３７，１３８を形成し、端子列１３７，１３８をコネクタハウジング１１１に複数段配置した配線用コネクタにおいて、複数段の端子列１３７，１３８の内の隣合う端子列を第１の端子列１３７及び第２の端子列１３８と呼ぶときに、少なくとも隣合う第１の端子列１３７及び第２の端子列１３８の基部１３１を一体的に形成するとともにコネクタハウジング１１１に折返して取付けるための折返し部１２７を形成し、この折返し部１２７に新たな接続端子８１を形成した。【選択図】      図５
2006172899.tif 000002
【特許請求の範囲】
【請求項１】
絶縁体でコネクタハウジングを形成し、このコネクタハウジングに取付ける端子を複数個連結した端子列を形成し、この端子列を前記コネクタハウジングに複数段配置した配線用コネクタにおいて、
前記複数段の端子列の内の隣合う端子列を第１の端子列及び第２の端子列と呼ぶときに、少なくとも隣合う前記第１の端子列及び第２の端子列の基部を一体的に形成するとともに前記コネクタハウジングに折返して取付けるための折返し部を形成し、この折返し部に新たな接続端子を形成したことを特徴とする配線用コネクタ。
【請求項２】
前記第１の端子列の端子数に比べ、前記第２の端子列の端子数を異なるように形成したことを特徴とする請求項１記載の配線用コネクタ。
【請求項３】
前記新たな接続端子を、基端子とすることを特徴とする請求項１記載の配線用コネクタ。
【請求項４】
前記新たな接続端子及びその近傍の端子を基端子とするとともに、残る端子を分岐端子とすることを特徴とする請求項１記載の配線用コネクタ。
【請求項５】
前記第１の端子列若しくは第２の端子列と同列に、電気的に独立させた独立端子列を配置したこと特徴とする請求項２記載の配線用コネクタ。
【請求項６】
前記コネクタハウジングの側壁に孔部を形成し、この孔部から前記コネクタハウジングの外方に前記新たな接続端子を導き、この接続端子からハーネスを延出したことを特徴とする請求項１記載の配線用コネクタ。
【請求項７】
前記新たな接続端子及び前記新たな接続端子の近傍の端子を、基端子とすることを特徴とする請求項３又は請求項４記載の配線用コネクタ。
【発明の詳細な説明】
【技術分野】
【０００１】
本発明は、複数の入力側配線をまとめ出力することができる配線用コネクタに関するものである。
【背景技術】
【０００２】
配線用コネクタとして、目的に応じて多種多様なものが実用に供されている。
実用の配線用コネクタは、例えば、複数の入力側配線をまとめて出力する場合は集合用の配線用コネクタを用い、１本の配線を複数の出力に分岐させるためには分岐用コネクタを用いればよく、用途別に目的に合致したものを選択すればすれば実用上十分であった。
【０００３】
このような配線用コネクタとして、複数の端子列を２段設けたものが知られている（例えば、特許文献１参照。）。
【特許文献１】実公昭６３−３３５０９号公報（第４−５頁、第４−５図）
【０００４】
従来の配線用コネクタは、絶縁体のコネクタハウジングと、このコネクタハウジングに配列する端子群とからなる。端子群は、複数の端子を一体的に形成したものであり、中央部から折曲げ形成することで、複数の端子を有する第１の端子列及び第２の端子列を形成したものである、
【０００５】
例えば、従来の配線用コネクタでは、第１の端子列の端子数と第２の端子列の端子数が異なる場合には、端子群の形状が異形になり、作りにくさが発生するので、複数の端子列の端子数の自由度に制限を課すという問題があった。
また、配線用コネクタでは、中央部から折曲げ形成することで、複数の端子を有する第１の端子列及び第２の端子列を形成するものなので、２段以上の端子列を一体的に形成できないという欠点があった。
【０００６】
すなわち、端子群の形状が異形になることを回避することができるとともに、端子列の段数を任意に増やすことができる配線用コネクタが望まれる。
【発明の開示】
【発明が解決しようとする課題】
【０００７】
本発明は、端子群の形状が異形になり、作りにくい点を解決し、複数の端子列の端子数の自由に設定することができる配線用コネクタを提供するとともに、２段以上の端子列を一体的に形成できない点を解決し、端子列の段数を任意に増やすことができる配線用コネクタを提供することを課題とする。
【課題を解決するための手段】
【０００８】
請求項１に係る発明は、絶縁体でコネクタハウジングを形成し、このコネクタハウジングに取付ける端子を複数個連結した端子列を形成し、この端子列をコネクタハウジングに複数段配置した配線用コネクタにおいて、複数段の端子列の内の隣合う端子列を第１の端子列及び第２の端子列と呼ぶときに、少なくとも隣合う第１の端子列及び第２の端子列の基部を一体的に形成するとともにコネクタハウジングに折返して取付けるための折返し部を形成し、この折返し部に新たな接続端子を形成したことを特徴とする。
【０００９】
例えば、複数の端子列の端子数の自由に設定することができるとすれば、配線用コネクタのバリエーションを拡大できるので好ましいことであり、端子列の段数を任意に増やすことができるとすれば、同時に接続できる配線の数を増加させることができるので好ましいことである。
【００１０】
すなわち、少なくとも隣合う第１の端子列及び第２の端子列の基部を一体的に形成することで、複数の端子列の端子数の自由に設定することができる。また、少なくとも隣合う第１の端子列及び第２の端子列の基部を一体的に形成することで、端子列の段数を任意に増やすことができる。
さらに、コネクタハウジングに折返して取付けるための折返し部を形成し、この折返し部に新たな接続端子を形成することで、配線用コネクタの用途の拡大を図ることができる。
【００１１】
請求項２に係る発明は、第１の端子列の端子数に比べ、第２の端子列の端子数を異なるように形成したことを特徴とする。
第１の端子列の端子数に比べ、第２の端子列の端子数を異なるように形成することで、任意の用途に適合させた配線用コネクタの実現を図ることができる。
【００１２】
請求項３に係る発明は、新たな接続端子を、基端子とすることを特徴とする。
基端子が、折返し部にあるので、位置がわかりやすく、配線がしやすい。
【００１３】
請求項４に係る発明は、新たな接続端子及びその近傍の端子を基端子とするとともに、残る端子を分岐端子とすることを特徴とする。
新たな接続端子及びその近傍の端子を基端子とするとともに、残る端子を分岐端子とすることで、位置がわかりやすいとともに配線用コネクタの定格消費電力を向上させることが可能になり、また、一つの基端子に不都合が発生したとしても、他の基端子で機能の補完を図ることができる。
【００１４】
請求項５に係る発明は、第１の端子列若しくは第２の端子列と同列に、電気的に独立させた独立端子列を配置したこと特徴とする。
第１の端子列若しくは第２の端子列と同列に、電気的に独立させた独立端子列を配置することで、コネクタハウジングのスペースの有効利用を図ることができる。
【００１５】
請求項６は、コネクタハウジングの側壁に孔部を形成し、この孔部からコネクタハウジングの外方に新たな接続端子を導き、この接続端子からハーネスを延出したことを特徴とする。
コネクタハウジングの側壁に孔部を形成し、この孔部からコネクタハウジングの外方に新たな接続端子を導き、この接続端子からハーネスを延出することで、配線の自由度を上げ接続端子の用途の拡大を図ることができる。
【００１６】
請求項７は、新たな接続端子及び新たな接続端子の近傍の端子を、基端子とすることを特徴とする。
新たな接続端子及び新たな接続端子の近傍の端子を、基端子とすることで、電源アースの補強を図ることができる。
【発明の効果】
【００１７】
請求項１に係る発明では、少なくとも隣合う第１の端子列及び第２の端子列の基部を一体的に形成したので、複数の端子列の端子数の自由に設定することができる。この結果、配線用コネクタのバリエーションを拡大できるという利点がある。また、少なくとも隣合う第１の端子列及び第２の端子列の基部を一体的に形成したので、端子列の段数を任意に増やすことができる。この結果、同時に接続できる配線の数を増加させることができるという利点がある。
さらに、コネクタハウジングに折返して取付けるための折返し部を形成し、この折返し部に新たな接続端子を形成することで、配線用コネクタの用途の拡大を図ることができるという利点がある。
【００１８】
請求項２に係る発明では、第１の端子列の端子数に比べ、第２の端子列の端子数を異なるように形成したので、任意の用途に適合させた配線用コネクタの実現を図ることができるという利点がある。
【００１９】
請求項３に係る発明では、新たな接続端子を基端子としたので、基端子が、折返し部にあり、位置がわかりやすく、配線がしやすいという利点がある。
【００２０】
請求項４に係る発明では、新たな接続端子及びその近傍の端子を基端子とするとともに、残る端子を分岐端子としたので、位置がわかりやすいとともに配線用コネクタの定格消費電力を向上させることが可能になり、また、一つの基端子に不都合が発生したとしても、他の基端子で機能の補完を図ることができる。この結果、配線用コネクタの信頼性の向上を図ることができるという利点がある。
【００２１】
請求項５に係る発明では、第１の端子列若しくは第２の端子列と同列に、電気的に独立させた独立端子列を配置したので、コネクタハウジングのスペースの有効利用を図ることができるという利点がある。
【００２２】
請求項６に係る発明では、コネクタハウジングの側壁に孔部を形成し、この孔部からコネクタハウジングの外方に新たな接続端子を導き、この接続端子からハーネスを延出したので、配線の自由度を上げ接続端子の用途の拡大を図ることができるという利点がある。
【００２３】
請求項７に係る発明では、新たな接続端子及び新たな接続端子の近傍の端子を、基端子としたで、電源アースの補強を図ることができるという利点がある。
【発明を実施するための最良の形態】
【００２４】
本発明を実施するための最良の形態を添付図に基づいて以下に説明する。なお、図面は符号の向きに見るものとする。
図１は本発明に係る配線用コネクタを採用した自動二輪車の側面図であり、自動二輪車１０は、車体前部１８にハンドル１１、ハンドル１１で操舵するフロントフォーク１２及び前輪１３とを配置し、車体前部１８から車体中央部１９に亘って（わたって）車体フレーム１４を配置し、この車体フレーム１４にエンジン（不図示）を取付け、車体フレーム１４の下部にスイング可能にスイングアーム１５を取付け、このスイングアーム１５の後端に後輪１６を取付けた車両である。
【００２５】
図中、２１はウインドスクリーン、６２はヘッドランプ、２３はフロントフェンダ、２４はカウリング、２５は燃料タンク、２６はシート、２７はサドルバッグ、２８はスタンド、２９はグラブレール、３１はエキゾーストパイプ、３２はマフラ、３３はリヤフェンダ、５０はテールランプである。
【００２６】
また、３０は本発明に係る配線用コネクタであり、配線用コネクタ（分岐用コネクタ）３０は、後述するように、同時に接続できる配線の数を増加させることができるとともに、用途の拡大を図ることができるコネクタである。
【００２７】
図２は本発明に係る配線用コネクタの斜視図であり、後述するＩ字端子群１１３（図５参照）は省略した。
配線用コネクタ３０は、差込み側コネクタ（プラグ）１００と、この差込み側コネクタ１００を差込む受け側コネクタ（ソケット）１１０と、から構成する部材であり、複数の接続機器のアースを集中させ、数本のアースにまとめて所定のアースポイントに接続するものである。
次図で、配線用コネクタ３０の具体的な使用例を説明する。
【００２８】
図３は本発明に係る配線用コネクタを採用した自動二輪車の配線ブロック図であり、配線システム４０を示す。なお、配線システム４０は配線用コネクタ３０の一つの使用例を示す。
図中、４１はアップダウンスイッチ、４２はオプション用端子、４３は水温センサ、４４はスクリーン用リレー、４５は右リヤウインカ、４６は第１ファン、４７は第２ファン、４８はストップランプ用リレー、４９は左リヤウインカ、５０はテールランプ、５１はストップランプ、５２はロービーム用ヘッドランプリレー、５３はハイビーム用ヘッドランプリレー、５４は燃料ポンプ、５５は電動スクリーン、５６はホーン、５７はバンクアングルセンサ、５８はメータ、５９は右フロントウインカ、６１は左フロントウインカ、
６２はヘッドランプを示す。
なお、符号４１〜６２を総称として記載するときは、本明細書では「接続機器４１〜６２」と記載する。
【００２９】
配線システム４０は、接続機器４１〜６２のアース側を配線用コネクタ３０の端子としての「１番端子」７１〜「９番端子」７９、「１３番端子」８３〜「１６番端子」８６に接続し、＋Ｂ側を電源としてのバッテリ６４の＋Ｂ（プラス）６５にそれぞれ接続したものである。６６はバッテリ６４のアース（マイナス）を示す。
【００３０】
端子としての「１０番端子」８０、新たな接続端子（端子）としての「１１番端子」８１及び端子としての「１２番端子」８２は、分岐端子である「１番端子」７１〜「９番端子」７９及び「１３番端子」８３〜「１６番端子」８６から入力した入力側アースを基端子側としてまとめてに出力する出力側アースである。
【００３１】
なお、「１番端子」７１〜「１６番端子」８６は、電気的及び機械的に連続した端子である。
また、「１７番端子」８７〜「２１番端子」９１は、電気的及び機械的に連続した端子であって、「１番端子」７１〜「１６番端子」８６からは機械的及び電気的に独立させた端子である。本実施例においては、これをセンサアース用端子として用いたものである。なお、「１７番端子」８７〜「２１番端子」９１を、その他アース以外の回路端子として使用してもよい。
【００３２】
以下、配線用コネクタ３０の詳細形状を説明する。
図４は本発明に係る配線用コネクタの差込み側コネクタの分解斜視図であり、差込み側コネクタ１００は、絶縁体にて形成した差込み側ハウジング１０１と、この差込み側ハウジング１０１に挿入固定した配材１０２・・・（・・・は複数個を示す。以下同じ）と、からなる。
【００３３】
差込み側ハウジング１０１は、配材１０２・・・を圧入固定する（取付ける）筒部１０３・・・と、受け側コネクタ１１０に所定の方向に差込むためのレール部１０４，１０４（一方の１０４は不図示）と、受け側コネクタ１１０にロックするロック爪１０５，１０５と、受け側コネクタ１１０（図２参照）から抜くための手掛り部１０６と、を備える。
配材１０２は、筒部１０３に差込み固定する差込み端子１０７を備える。
【００３４】
図５は本発明に係る配線用コネクタの受け側コネクタの分解斜視図であり、受け側コネクタ１１０は、絶縁体にて形成したコネクタハウジング１１１と、このコネクタハウジングに圧入固定する（取付ける）略Ｕ字状のＵ字端子群１１２と、コネクタハウジングに圧入固定する（取付ける）独立端子列としての直線状（Ｉ字状）のＩ字端子群１１３と、Ｕ字端子群１１２の新たな接続端子（端子）である「１１番端子」８１に接続するハーネス１１４と、コネクタハウジング１１１の側壁１２４に被せることで、係止孔１２３，１２３及び孔部１２５を塞ぐとともにハーネス１１４を支持する熱収縮チューブ１１５とからなる。
【００３５】
コネクタハウジング１１１は、Ｕ字端子群１１２及びＩ字端子群１１３を収納する収納凹部１２１と、差込み側ハウジング１０１のレール部１０４，１０４を案内するガイド部１２２，１２２と、差込み側ハウジング１０１のロック爪１０５，１０５を係止する係止孔１２３，１２３と、ハーネス１１４及び「１１番端子」８１をコネクタハウジング１１１の外方に延出するための孔部１２５と、Ｕ字端子群１１２及びＩ字端子群１１３を圧入する圧入部１２６（図６参照）と、を形成したものである。なお、Ｕ字端子群１１２の「１１番端子」８１は、折返し部１２７に形成した端子である。
【００３６】
Ｕ字端子群１１２は、「１番端子」７１〜「１６番端子」８６を形成した端子群であり、「１番端子」７１〜「１６番端子」８６を電気的及び機械的に接続した基部１３１と、この基部１３１に且つ「１番端子」７１〜「１６番端子」８６それぞれに形成した圧入ピン１３２・・・と、Ｕ字に折返すための折返し部１２７と、を備える。
【００３７】
Ｉ字端子群１１３は、「１６番端子」７１〜「２１番端子」９１を形成した端子群であり、「１７番端子」８７〜「２１番端子」９１を電気的及び機械的に接続した基部１３３と、この基部１３３に且つ「１７番端子」８７〜「２１番端子」９１それぞれに形成した圧入ピン１３４・・・を備える。
【００３８】
また、Ｕ字端子群１１２の「１番端子」７１〜「１０番端子」８０で第１の端子列１３７を構成し、Ｕ字端子群１１２の「１２番端子」８２〜「１６番端子」８６及びＩ字端子群１１３の「１６番端子」７１〜「２１番端子」９１で第２の端子列１３８を構成する。
【００３９】
すなわち、配線用コネクタ３０は、絶縁体でコネクタハウジング１１１を形成し、このコネクタハウジング１１１に取付ける端子７１〜９１を複数個連結した端子列１３７，１３８を形成し、端子列１３７，１３８をコネクタハウジング１１１に複数段配置した配線用コネクタにおいて、複数段の端子列１３７，１３８の内の隣合う端子列を第１の端子列１３７及び第２の端子列１３８と呼ぶときに、少なくとも隣合う第１の端子列１３７及び第２の端子列１３８の基部１３１を一体的に形成するとともにコネクタハウジング１１１に折返して取付けるための折返し部１２７を形成し、この折返し部１２７に新たな接続端子である「１１番端子」８１を形成したものと言える。
【００４０】
例えば、複数の端子列の端子数の自由に設定することができるとすれば、配線用コネクタのバリエーションを拡大できるので好ましいことであり、端子列の段数を任意に増やすことができるとすれば、同時に接続できる配線の数を増加させることができるので好ましいことである。
【００４１】
すなわち、少なくとも隣合う第１の端子列１３７及び第２の端子列１３８の基部１３１を一体的に形成することで、複数の端子列１３７，１３８の端子数の自由に設定することができる。この結果、配線用コネクタ３０のバリエーションを拡大できる。また、少なくとも隣合う第１の端子列１３７及び第２の端子列１３８の基部１３１を一体的に形成することで、端子列の段数を任意に増やすことができる。この結果、同時に接続できる配線の数を増加させることができる。
さらに、コネクタハウジング１１１に折返して取付けるための折返し部１２７を形成し、この折返し部１２７に新たな接続端子８１を形成することで、配線用コネクタ３０の用途の拡大を図ることができる。また、新たな接続端子に特定の入力端子若しくは出力端子を接続する場合、その位置がわかりやすい。
【００４２】
配線用コネクタ３０は、電気的に導通させた第１の端子列１３７の端子数に比べ、第１の端子列１３７に電気的に導通させる第２の端子列１３８の端子数を異なるように形成したものとも言える。
電気的に導通させた第１の端子列１３７の端子数に比べ、第１の端子列１３７に電気的に導通させる第２の端子列１３８の端子数を異なるように形成することで、任意の用途に適合させた配線用コネクタの実現を図ることができる。
【００４３】
図３に示すように、配線用コネクタ３０は、新たな接続端子である「１１番端子」８１を、分岐用コネクタの基端子としてアース側への出力側端子としたものである。
例えば、新たな接続端子８１を折返し部１２７に設けたので、出力側端子の位置がわかりやすい。
【００４４】
図３に示すように、配線用コネクタ３０は、新たな接続端子８１の近傍の端子（「１０番端子」８０及び「１２番端子」８２を基端子（本実施例では出力側端子）とするとともに、残る端子（「１番端子」７１〜「９番端子」７９、「１３番端子」８３〜「１６番端子」８６）を分岐端子（本実施例では入力側端子）とすることで、配線用コネクタの定格消費電力を向上させることができるとともに、例えば、一つの基端子に不都合が発生したとしても、他の基端子で機能の補完を図ることができる。この結果、配線用コネクタの信頼性の向上を図ることができる。
【００４５】
また、配線用コネクタ３０は、第２の端子列１３８の列中に、第１の端子列１３７に電気的及び機械的に連続させた「１２番端子」〜「１６番端子」とは、電気的に独立させた独立端子列（Ｉ字端子群）１１３を配置することで、コネクタハウジング１１１のスペースの有効利用を図ることができる。
【００４６】
配線用コネクタ３０は、コネクタハウジング１１１の側壁１２４に孔部１２５を形成し、この孔部１２５からコネクタハウジング１１１の外方に新たな接続端子である「１１番端子」８１を導き、この接続端子８１からハーネス１１４を延出することで、配線の自由度を増やし、又接続端子８１の用途の拡大を図ることができる。
【００４７】
図３に示すように、配線用コネクタ３０は、新たな接続端子８１及び新たな接続端子８１の近傍の端子（「１０番端子」８０及び「１２番端子」８２）を、分岐用コネクタ（配線用コネクタ）の基端子とすることで、電源アースの補強を図っている。
【００４８】
図６は本発明に係る配線用コネクタの受け側コネクタの平面図である。
ハーネス１１４は、ハーネス本体１４１と、このハーネス本体１４１の一端に取付けたハーネス側端子１４２と、ハーネス本体１４１の他端に取付けたラグ端子１４３と、これらのラグ端子１４３とハーネス本体１４１の他端を覆うチューブ１４４と、ハーネス本体１４１を覆う保護チューブ１４５と、からなる。
【００４９】
配線用コネクタ３０（図２参照）は、コネクタハウジング１１１の側壁１２４（図５参照）に孔部１２５を形成し、この孔部１２５からコネクタハウジング１１１の外方に新たな接続端子である「１１番端子」８１を導き、この接続端子８１からハーネス１１４を延出したものと言える。
すなわち、コネクタハウジング１１１の側壁１２４に孔部１２５を形成し、この孔部１２５からコネクタハウジング１１１の外方に新たな接続端子である「１１番端子」８１を導き、この接続端子８１からハーネス１１４を延出することで、接続端子８１の用途の拡大を図ることができる。
【００５０】
図７（ａ），（ｂ）は従来の配線用コネクタの端子群と本発明に係る配線用コネクタのＵ字端子群の比較説明図であり、（ａ）は比較例のＵ字端子群２１２を示し、（ｂ）は実施例のＵ字端子群１１２を示す。
（ａ）において、Ｕ字端子群２１２は、底部２１３から複数の端子２１４・・・，２１５・・・，２１６を立上げ形成したものである。従って、端子列を２段以上形成することは困難であり、多数段の端子列を有する配線用コネクタを実現することはできない。
【００５１】
（ｂ）において、Ｕ字端子群１１２は、基部１３１で端子７１〜９１を繋いだものである。従って、折返し部１２７のような折返し部を複数個形成することで、端子列を２段以上有する多数段配線用コネクタを実現することができる。
【００５２】
図８（ａ），（ｂ）は従来の配線用コネクタの端子群と本発明に係る配線用コネクタのＵ字端子群の展開形状を示す比較説明図であり、（ａ）は従来の折曲げ形成で同形状のＵ字端子群を製造する場合の例示であって比較例のＵ字端子群２１２を示し、（ｂ）は本発明の実施例のＵ字端子群１１２を示す。
（ａ）において、Ｕ字端子群２１２は、底部２１３から複数の端子２１４・・・，２１５・・・，２１６を立上げ形成したものである。従って、材料の捨て部分２１７，２１８，２１９が発生し、効率が良くなく、配線用コネクタのコストが高くなる場合がある。
【００５３】
（ｂ）において、Ｕ字端子群１１２は、基部１３１で端子７１〜９１を繋いだものである。従って、材料を効率良く使用することができ、配線用コネクタ３０のコストの低減を図ることができるとともに、配線用コネクタ３０の生産性の向上を図ることができる。
また、長い端子群を、適時、切離して多種の端子数の違う複数例の配線用コネクタに使用することもできる。
【００５４】
尚、本発明に係る配線用コネクタは、図５に示すように、「１番端子」７１〜「２１番端子」９１を同一の形状に形成したが、これに限るものではなく、例えば、「１１番端子」８１の端子形状を太く形成することで、電流容量を拡大するものであってもよい。
【００５５】
本発明に係る配線用コネクタは、図５に示すように、２段の端子列１３７，１３８を形成したが、これに限るものではなく、端子列の段数は３段以上であってもよい。
本発明に係る配線用コネクタは、図５に示すように、第２の端子列１３８と同列に、電気的に独立させた独立端子列（Ｉ字端子群）１１３を配置したが、これに限るものではなく、別の端子列に電気的に独立させた独立端子列を配置したものであってもよい。
【００５６】
本発明では、基端子側をアース出力側に設定し、分岐端子側をアース入力側に設定したが、これに限るものではなく、基端子側をアース入力側に設定し、分岐端子側をアース出力側に設定したものであってもよい。
本発明では、配線用コネクタをアース回路に使用したが、これに限るものではなく、用途は任意である。
また、折返し部１２７の直下の圧入ピン１３２を切り落とし若しくは折曲げて使用するものであってもよい。これにより、上記圧入ピン１３２の差込み部分のない以前のコネクタハウジングに孔部１２５を形成することで、以前のコネクタハウジングを流用することができる。
【産業上の利用可能性】
【００５７】
本発明に係る配線用コネクタは、アクセサリの種類の多い比較的大きな自動二輪車に採用するのに好適である。
【図面の簡単な説明】
【００５８】
【図１】本発明に係る配線用コネクタを採用した自動二輪車の側面図である。
【図２】本発明に係る配線用コネクタの斜視図である。
【図３】本発明に係る配線用コネクタを採用した自動二輪車の配線ブロック図である。
【図４】本発明に係る配線用コネクタの差込み側コネクタの分解斜視図である。
【図５】本発明に係る配線用コネクタの受け側コネクタの分解斜視図である。
【図６】本発明に係る配線用コネクタの受け側コネクタの平面図である。
【図７】従来の配線用コネクタの端子群と本発明に係る配線用コネクタのＵ字端子群の比較説明図である。
【図８】従来の配線用コネクタの端子群と本発明に係る配線用コネクタのＵ字端子群の展開形状を示す比較説明図である。
【符号の説明】
【００５９】
３０…配線用コネクタ、７１〜７９…分岐端子（「１番端子」〜「９番端子」）、８０…基端子（「１０番端子」）、８１…新たな接続端子（基端子若しくは「１１番端子」）、８２…基端子（「１２番端子」）、８３〜８６…分岐端子（「１３番端子」〜「１６番端子」）、１１１…コネクタハウジング、１１３…独立端子列（Ｉ字端子群）、１１４…ハーネス、１２７…折返し部、１３１…基部、１３７，１３８…第１・第２の端子列。
【図１】
2006172899.tif 000003
【図２】
2006172899.tif 000004
【図３】
2006172899.tif 000005
【図４】
2006172899.tif 000006
【図５】
2006172899.tif 000007
【図６】
2006172899.tif 000008
【図７】
2006172899.tif 000009
【図８】
2006172899.tif 000010